(57)【要約】  【課題】  計測部位に相当するピクトグラムを操作盤を使用することなく表示することができる超音波診断装置を提供する。  【解決手段】  計測部位を示す複数のピクトグラムを保存するピクトグラム保存手段１５と、超音波画像を検出する超音波画像検出手段１と、超音波画像上で任意の部位を計測する計測手段１２と、計測手段で計測した部位を選択する計測部位選択手段１０とを備える。選択された計測部位に対応するピクトグラムを複数のピクトグラムの中から決定するピクトグラム決定手段１１と、決定されたピクトグラムを表示する表示手段７とを備える。【選択図】  図１
2006075352.tif 000002
【特許請求の範囲】
【請求項１】
計測部位を示す複数のピクトグラムを保存するピクトグラム保存手段と、超音波画像を検出する超音波画像検出手段と、前記超音波画像上で任意の部位を計測する計測手段と、前記計測手段で計測した前記部位を選択する計測部位選択手段とを備えた超音波診断装置において、
選択された前記計測部位に対応する前記ピクトグラムを前記複数のピクトグラムの中から決定するピクトグラム決定手段と、決定された前記ピクトグラムを表示する表示手段とを備えたことを特徴とする超音波診断装置。
【請求項２】
前記ピクトグラム保存手段に準備された前記ピクトグラムは、胎児のピクトグラムである請求項１記載の超音波診断装置。
【請求項３】
前記表示手段は、前記複数のピクトグラムの中から決定された前記計測部位に対応する前記ピクトグラムと計測結果とを共に表示可能である請求項１または２記載の超音波診断装置。
【請求項４】
前記表示手段は、前記複数のピクトグラムの中から決定された前記計測部位に対応する前記ピクトグラムと検出された前記超音波画像とを共に表示可能である請求項１〜３のいずれか１項に記載の超音波診断装置。
【請求項５】
前記表示手段は、前記複数のピクトグラムの中から決定された前記計測部位に対応する前記ピクトグラムと複数の計測結果を表示するレポート画面とを共に表示可能である請求項１〜４のいずれか１項に記載の超音波診断装置。
【請求項６】
前記表示手段は、前記複数のピクトグラムの中から決定された前記計測部位に対応する前記ピクトグラムと複数の胎児の発育度合いを示すグラフとを共に表示可能である請求項１、３、４または５のいずれか１項に記載の超音波診断装置。
【請求項７】
前記ピクトグラム保存手段は、計測部位と関連付けられた新たなピクトグラムを追加保存する機能を有する請求項１〜６のいずれか１項に記載の超音波診断装置。
【請求項８】
前記新たなピクトグラムを作成するピクトグラム作成手段を備えた請求項７記載の超音波診断装置。
【発明の詳細な説明】
【技術分野】
【０００１】
本発明は、ピクトグラムを表示する機能を有する超音波診断装置に関する。
【背景技術】
【０００２】
従来の特定部位を計測する機能を有する超音波診断装置には、例えば図４に示すように、ピクトグラムを表示することができる機能を有する胎児発育診断用の超音波診断装置がある（特許文献１参照）。操作盤３１は、トラックボールやキーボードなどで構成されている。エコー画像処理部３２は、取り込まれたエコーデータからエコー画像を作成する。中央処理部３３は、操作盤３１やエコー画像処理部３２を制御し、ユーザが実際に見る表示部４０にデータを表示させる。患者レポートデータメモリ３４は、胎児の各部位ごとの計測値を格納している。胎児・標準体格データメモリ３５は、胎児の標準体格データを格納している。
【０００３】
胎児ピクトグラムデータメモリ３６は、各部位ごとのピクトグラムを格納している。胎児標準偏差ピクトグラムデータメモリ３７は、各部位の計測値に基づいて胎児の発育度合いを表示する。エコー計測部３８は、エコー画像上の胎児の各部位を計測する。イメージ表示処理部３９は、エコー画像、ピクトグラムや計測値を合成し表示する。
【０００４】
操作盤３１を操作することにより、ピクトグラムを胎児ピクトグラムデータメモリ３６より読み出して表示し、患者のエコー画像を取り込んだ後、胎児の特定の部位を計測する。その部位に相当するピクトグラムを操作盤３１のトラックボールで操作するポインターで選択すると、患者レポートデータメモリ３４に代入される。
【０００５】
また、図５は、表示部４０に表示された画像であり、エコー信号より得られる断層画像４１と、計測部位を示すピクトグラム４２と、計測結果を表示する第１計測結果表示部４３と、第２計測結果表示部４４とからなる。図５に示すように、表示部４０上にピクトグラム４２を断層画像４１と同時に表示し、計測した部位のピクトグラムを関連づけて表示する。
【特許文献１】特開平１１−２９９７９１
【発明の開示】
【発明が解決しようとする課題】
【０００６】
従来の超音波診断装置においては、特定の部位を計測し、その部位に相当するピクトグラムを操作盤により選択、指定しなければならない。
【０００７】
本発明は、従来の問題を解決するためのもので、計測部位に相当するピクトグラムを操作盤を使用することなく表示することができる超音波診断装置を提供することを目的とする。
【課題を解決するための手段】
【０００８】
本発明の超音波診断装置は、計測部位を示す複数のピクトグラムを保存するピクトグラム保存手段と、超音波画像を検出する超音波画像検出手段と、前記超音波画像上で任意の部位を計測する計測手段と、前記計測手段で計測した前記部位を選択する計測部位選択手段とを備える。上記の問題を解決するために、選択された前記計測部位に対応する前記ピクトグラムを前記複数のピクトグラムの中から決定するピクトグラム決定手段と、決定された前記ピクトグラムを表示する表示手段とを備えたことを特徴とする。
【０００９】
この構成により、部位を計測する際、計測部位を選択すると、自動的に計測部位に対応するピクトグラムを複数のピクトグラムの中から選択し、表示をするをことができる。
【００１０】
また、前記ピクトグラム保存手段に準備された前記ピクトグラムは、胎児のピクトグラムである構成にすることもできる。
【００１１】
また、前記表示手段は、前記複数のピクトグラムの中から決定された前記計測部位に対応する前記ピクトグラムと計測結果とを共に表示可能である構成にすることもできる。
【００１２】
この構成により、計測結果と計測部位に対応するピクトグラムを同一の画面内に表示することができる。
【００１３】
また、前記表示手段は、前記複数のピクトグラムの中から決定された前記計測部位に対応する前記ピクトグラムと検出された前記超音波画像とを共に表示可能である構成にすることもできる。
【００１４】
この構成により、計測を実施した超音波画像と計測部位に対応するピクトグラム、あるいは計測を実施した超音波画像と計測結果と計測部位に対応するピクトグラムを同一の画面内に表示することができる。
【００１５】
また、前記表示手段は、前記複数のピクトグラムの中から決定された前記計測部位に対応する前記ピクトグラムと複数の計測結果を表示するレポート画面とを共に表示可能である構成にすることもできる。
【００１６】
この構成により、部位の計測結果を表示するレポート画面と計測部位に対応するピクトグラムを同一の画面内に表示することができる。
【００１７】
また、前記表示手段は、前記複数のピクトグラムの中から決定された前記計測部位に対応する前記ピクトグラムと複数の胎児の発育度合いを示すグラフとを共に表示可能である構成にすることもできる。
【００１８】
この構成により、複数の胎児の発育度合いを示すグラフと、計測部位に対応するピクトグラムとを同一の画面内に表示することができる。
【００１９】
また、前記ピクトグラム保存手段は、計測部位と関連付けられた新たなピクトグラムを追加保存する機能を有する構成にすることもできる。
【００２０】
この構成により、新たなピクトグラムを保存でき、計測部位に対応させることができる。そのため、超音波診断装置の製造時に想定していない部位においても、計測の際に、ピクトグラムを表示することができる。
【００２１】
また、前記新たなピクトグラムを作成するピクトグラム作成手段を備えた構成にすることもできる。
【００２２】
この構成により、新たにピクトグラムを作成することができる。
【発明の効果】
【００２３】
本発明の超音波診断装置は、選択された計測部位に対応するピクトグラムを複数のピクトグラムの中から選択する手段を設けたことにより、計測部位を選択するための操作のみで、計測部位に相当するピクトグラムを、自動的に選択し表示させることができる。従って、超音波画像上の計測実施結果のみでは、どの部分を計測したのか理解するのは困難である場合にも、同時に表示されるピクトグラムで計測部位を確認することが容易になる。また、インフォームドコンセントに有用であるという機能もある。そのような効果を、操作者が計測部位に相当するピクトグラムを、操作盤を使用することなく表示することができる超音波診断装置を提供できる。
【発明を実施するための最良の形態】
【００２４】
以下、本発明の実施の形態の１つの例として、胎児の部位計測用超音波診断装置について、図面を用いて説明する。図１は、本発明の実施の形態における超音波診断装置のブロック図である。超音波診断装置は、超音波プローブ１と、送信回路部２と、受信回路部３と、受信信号処理回路部と、走査変換器（ＤＳＣ）５と、グラフィック合成回路部６と、ＴＶモニタ７と、制御回路部８とで構成されている。制御回路部８は、中央制御回路部９と、操作卓１２と、グラフィック制御回路部１３と、グラフィックメモリ１４と、胎児計測ピクトグラム一覧用メモリ１５と、胎児計測結果記録用メモリ１６と、胎児計測部位記録用メモリ１７と、レポート画面用ピクトグラム表示用メモリ１８と、超音波画面用ピクトグラム表示用メモリ１９とからなる。中央制御回路部９は、胎児計測制御部１０とピクトグラム選択制御部１１からなる。
【００２５】
ピクトグラム保存手段は、胎児計測ピクトグラム一覧用メモリ１５で構成され、超音波画像検出手段は、超音波プローブ１と送信回路部２と受信回路部３とで構成される。また、計測手段は、操作卓１２とカーソル２４、２５で構成され、計測部位選択手段は、胎児計測制御部１０で構成される。さらに、ピクトグラム決定手段は、ピクトグラム選択制御部１１で構成される。表示手段は、ピクトグラム選択制御部１１と、グラフィック制御回路部１３と、グラフィックメモリ１４と、グラフィック合成回路部６と、ＴＶモニタ７で構成される。ピクトグラム作成手段は、操作卓１２で構成される。
【００２６】
超音波プローブ１は、先端に圧電振動子を備え、超音波パルスを送受信する。超音波パルスは被検体内を伝播しながら、音響インピーダンスの異なる境界面でその一部が反射してエコー信号を形成する。そのエコー信号の一部は圧電振動子で受信され、対応する電圧信号に変換される。送信回路部２は、圧電振動子駆動電圧パルスを超音波プローブ１に供給する。
【００２７】
受信回路部３は、超音波プローブ１で受信した電圧信号をプリアンプ、遅延制御および加算する。受信信号処理回路部４は、受信回路部３の出力を対数増幅、検波、およびＡ／Ｄ変換し、デジタル化されたＢモードのエコーデータを作成し、ＤＳＣ５に送る。ＤＳＣ５は、受信信号処理回路部４からのＢモードのエコーデータを超音波走査から標準ＴＶ走査のデータに変換し、Ｂモード画像データとして、フレームメモリに格納する。格納されたデータは、適切なフレームタイミングで読出され、グラフィック合成回路部６に渡される。グラフィック合成回路部６は、制御系回路部８から送られるグラフィック画像とＢモード画像とを合成し、合成画像をＴＶモニタ７に表示させる。
【００２８】
制御系回路部８は、装置全体の駆動タイミング、送受信の制御、各種の計測、計測のための描画グラフィックデータの生成、並びに本発明に係る計測機能、ピクトグラム表示などの制御を行う。
【００２９】
中央制御回路部９は、ＣＰＵとワークメモリ（図示せず）を含んでいる。胎児計測制御部１０は、胎児計測を実施するための各種制御を行う。また、ピクトグラム選択制御部１１は、ピクトグラムを選択し表示をするための各種制御を行う。さらに、中央制御回路部９には、入力インターフェースとして操作卓１２が接続される。中央制御回路部９の出力インターフェースの一部がグラフィック制御回路部１３、グラフィックメモリ１４を介して、グラフィック合成回路部６に接続されている。また、中央制御回路９の出力インターフェースの別の一部が、送信回路部２、受信回路部３、受信信号処理回路部４、ＤＳＣ５、グラフィック合成回路部６などに各種の制御信号を送信するために接続されている。
【００３０】
胎児計測ピクトグラム一覧用メモリ１５は、胎児計測部位を示す複数のピクトグラムを保存しており、胎児計測結果記録用メモリ１６は、任意の胎児の部位の計測結果を保存する。また、胎児計測部位記録用メモリ１７は、計測中の部位名を保存し、レポート画面用ピクトグラム表示メモリ１８は、胎児の複数の部位の計測結果を一覧表示するためのレポート画面と共に表示するピクトグラムを保存する。さらに、超音波画面用ピクトグラム表示用メモリ１９は、計測を実施した超音波画像と共に表示するピクトグラムを保存する。
【００３１】
以上のように構成された超音波診断装置について、図２を用いてその動作を説明する。まず、超音波プローブ１を被検体（ここでは妊婦）にあて、超音波を送受信する。受信信号は、受信信号処理回路部４、ＤＳＣ５、グラフィック合成回路部６を通して、超音波画像がＴＶモニタ７に表示される。測定したい部位が描出できたら、操作卓１２により画像をフリーズさせる。
【００３２】
図２（ａ）に示すようにフリーズした画像に計測したい部位を表示できれば、操作卓１２の計測キーにより計測を開始する。例えば、胎児の頭臀長（ＣＲＬ）を計測する場合には、操作卓１２で、頭部の端に計測用のカーソル２４を移動し、計測始点を決定する。さらに臀部の端に計測用のカーソル２５を移動し、計測終点を決定する。ここまでの操作は、胎児計測制御部１０が制御する。
【００３３】
計測用カーソル２４、２５の表示は、グラフィック制御回路１３、グラフィックメモリ１４、グラフィック合成回路部６を介して、ＴＶモニタ７に断層画像２０に重畳して表示される。操作卓１２により、ＣＲＬを計測した旨を決定するためのキーを押すと、胎児計測制御部１０は、ＣＲＬが計測されたことを胎児計測部位記録用メモリ１７に記録し、ＣＲＬの計測結果を胎児計測結果記録用メモリ１６に記録する。さらに、胎児計測制御部１０は、ピクトグラム選択制御部１１にＣＲＬが計測されたことを伝える。
【００３４】
ピクトグラム選択制御部１１は、胎児計測ピクトグラム一覧用メモリ１５から、ＣＲＬに相当するピクトグラムを検索し、検索したＣＲＬのピクトグラムをレポート画面用ピクトグラム表示メモリ１８と、超音波画面用ピクトグラム表示用メモリ１９にピクトグラムを記録する。
【００３５】
さらに、胎児計測制御部１０は、図２（ｂ）に示すように、超音波画面用ピクトグラム表示用メモリ１９に記録したＣＲＬのピクトグラムを断層画像２０とＣＲＬを計測したカーソル２４、２５と共に、グラフィック制御回路１３、グラフィックメモリ１４、グラフィック合成回路部６を介してＴＶモニタ７に表示させる。さらに、胎児計測制御部１０は、ＴＶモニタ７の第１計測結果表示部２２に、計測した長さをＣＲＬに変換した結果と、第２計測結果表示部２３に、画面上の長さの計測結果を同時に表示する。ＣＲＬのピクトグラム２１と、ＣＲＬの計測結果（長さ）と、上記画面上の長さの計測結果は、グラフィック制御回路１３、グラフィックメモリ１４、グラフィック合成回路部６を介してＴＶモニタ７に表示される。
【００３６】
また、操作卓１２により、胎児の計測結果の一覧を表示するレポート画面を表示する場合、ＴＶモニタ７にレポート画像を表示するのに重畳させ、レポート画面用ピクトグラム表示メモリ１８に記録されているＣＲＬのピクトグラムとレポート画面とを同時に表示させる。その際、ＣＲＬのピクトグラムとレポート画面は、グラフィック制御回路１３、グラフィックメモリ１４、グラフィック合成回路部６を介してＴＶモニタに表示される。
【００３７】
以上のように本実施の形態における超音波診断装置は、胎児計測ピクトグラム一覧用メモリ１５、レポート画面用ピクトグラム表示メモリ１８、超音波画面用ピクトグラム表示用メモリ１９、ピクトグラム選択制御部１１を備えている。この構成により、計測したＣＲＬに対応するピクトグラム２１が自動的に選択され、断層画像２０と、ＣＲＬを計測したカーソル２４、２５と、計測したＣＲＬの長さと、計測した画面上の長さの計測結果とを、ＣＲＬの計測を実施しただけで、ピクトグラムを新たに選択決定する操作を行わずとも、同時に画面に表示することができる。
【００３８】
これにより、超音波画像上の計測実施結果のみでは、患者が胎児のどの部分を計測したのか理解するのは困難である場合にも、同時に表示されるピクトグラムで計測部位を確認することが容易となる。従って、インフォームドコンセントや、母子の絆を深めるための手助けに有用である機能を、操作者の新たな操作を必要とせずに行うことができる。
【００３９】
なお、以上の説明では、ＣＲＬのピクトグラム２１を断層画像２０に重畳し、さらに計測用カーソル２４、２５、あるいは、ＣＲＬの計測結果を同時に表示する例について説明した。また、レポート画面で計測結果とともにＣＲＬのピクトグラム２１を表示させる例についても説明したが、ＣＲＬの計測結果と同時にＣＲＬのピクトグラム２１を表示するのであれば、どのような画面表示であってもよい。また、計測結果だけでなく、例えば複数の胎児における発育度合いを示すグラフとピクトグラムとを同時に表示させてもよい。さらに、複数の胎児の発育度合いを示すグラフとピクトグラムの表示されている画面に計測結果を表示してもよい。
【００４０】
さらに、本実施の形態では、胎児計測の１つであるＣＲＬの計測を例に述べたが、胎児のＣＲＬ以外の部位や、胎児以外の計測部位であっても同様に実施可能であり、複数の計測部位であっても同様に実施可能である。
【００４１】
また、ＣＲＬのピクトグラム２１をピクトグラムとして説明したが、これは、写真、イラストなどいずれの方法によっても、計測部位が、超音波診断装置の操作者あるいは、被験者（ここでは妊婦）あるいは、妊婦の家族にわかりやすいものであればよい。
【００４２】
また、図２（ｂ）では、ＣＲＬのピクトグラム２１を画面の左下側に表示した例を示したが、この位置は、断層画像２０になるべく重ならないような位置であれば、どこに表示してもよい。
【００４３】
また、以上の説明では、計測が終了した後に計測部位を選択し、ピクトグラムを表示させたが、計測開始時に計測部位を決定し、ピクトグラムの表示を行っても同様に実施可能である。
【００４４】
また、以上の説明では、検査中に計測結果をＴＶモニタ７に表示しているが、図３に示すように、計測結果を記録する画像グラフィック合成メモリ２６を有し、検査の後に画像グラフィック合成メモリ２６から検査中に表示した計測結果を、ＴＶモニタ７に表示させても良い。また、画像グラフィック合成メモリ２６は、超音波診断装置の外部に備えた記録媒体であっても良い。
【００４５】
また、以上の説明では、胎児計測の１つであるＣＲＬのピクトグラムが、予め胎児計測部位記録メモリ１７に記録され、ＣＲＬとの関連付けが胎児計測ピクトグラム一覧用メモリ１５に記録されている場合の例について述べた。しかし、予め記録されているピクトグラムに限らず、操作者が本装置上で操作卓を使用して作成した任意のピクトグラム、あるいは本装置以外の装置で作成した任意のピクトグラムを胎児計測部位記録用メモリ１７に追加して記録し、さらに、任意の計測部位との関連付けを胎児計測ピクトグラム一覧用メモリ１５に追加することにより、操作者が希望する任意のピクトグラムを計測結果と共に表示することもできる。
【産業上の利用可能性】
【００４６】
本発明の超音波診断装置は、選択された計測部位に対応するピクトグラムを複数のピクトグラムの中から決定する手段を設けることにより、計測部位を選択するための操作のみで、その計測部位に対応するピクトグラムを自動的に選択し表示できる。そのため、特に胎児のピクトグラムを表示する超音波診断装置として有用である。
【図面の簡単な説明】
【００４７】
【図１】本発明の実施の形態における超音波診断装置のブロック図
【図２】本発明の実施の形態における超音波診断装置のＴＶモニタの画面を示す図
【図３】本発明の実施の形態における超音波診断装置のブロック図
【図４】従来の超音波診断装置のブロック図
【図５】従来の超音波装置の表示部を示す図
【符号の説明】
【００４８】
１  超音波プローブ
２  送信回路部
３  受信回路部
４  受信信号処理回路部
５  走査変換器（ＤＳＣ）
６  グラフィック合成回路部
７  ＴＶモニタ
８  制御系回路部
９  中央制御回路部
１０  胎児計測制御部
１１  ピクトグラム選択制御部
１２  操作卓
１３  グラフィック制御回路部
１４  グラフィックメモリ
１５  胎児計測ピクトグラム一覧用メモリ
１６  胎児計測結果記録用メモリ
１７  胎児計測部位記録用メモリ
１８  レポート画面用ピクトグラム表示用メモリ
１９  超音波画面用ピクトグラム表示用メモリ
２０、４１  断層画像
２１  ＣＲＬのピクトグラム
２２、４３  第１計測結果表示部
２３、４４  第２計測結果表示部
２４、２５  カーソル
２６  画像グラフィック合成メモリ
３１  操作盤
３２  エコー画像処理部
３３  中央処理部
３４  患者レポートデータメモリ
３５  胎児・標準体格データメモリ
３６  胎児ピクトグラムデータメモリ
３７  胎児標準偏差ピクトグラムデータメモリ
３８  エコー計測部
３９  イメージ表示処理部
４０  表示部
４２  ピクトグラム
【図１】
2006075352.tif 000003
【図２】
2006075352.tif 000004
【図３】
2006075352.tif 000005
【図４】
2006075352.tif 000006
【図５】
2006075352.tif 000007